(57)【要約】【課題】ユーザが携帯用コンピュータ自体を移動させずにも，ほとんどすべての角度からモニタを凝視することができる携帯用コンピュータを提供する。【解決手段】コンピュータ本体１０と，コンピュータ本体１０に支持されるモニタ２０と，を有する携帯用コンピュータにおいて，一端が，モニタ２０をコンピュータ本体１０に対して傾斜及び旋回可能にモニタ２０に対して結合され，他端がモニタ２０がコンピュータ本体１０に対して蝶番式に回動可能にコンピュータ本体１０に対して結合されるピボッティングリンク４０を含む携帯用コンピュータとする。【選択図】　図２
2004127254.tif 000002
【特許請求の範囲】
【請求項１】
コンピュータ本体と，前記コンピュータ本体に支持されるモニタと，を有する携帯用コンピュータにおいて，
前記コンピュータ本体と，前記モニタとを結合するピボッティングリンクを含み，
前記ピボッティングリンクの一端は，前記モニタが前記コンピュータ本体に対して傾斜及び回動可能な状態で前記モニタに結合され，前記ピボッティングリンクの他端は，前記モニタが前記コンピュータ本体に対して蝶番式に旋回可能な状態で前記コンピュータ本体に結合されることを特徴とする携帯用コンピュータ。
【請求項２】
前記モニタと，前記ピボッティングリンクとを結合するティルティングリンクをさらに含み，
前記ティルティングリンクの一端は，前記モニタが前記コンピュータ本体に対して回動可能な状態で前記モニタに結合され，前記ティルティングリンクの他端は，前記モニタが前記コンピュータ本体に対して傾斜可能な状態で前記ピボッティングリンクの一端に結合されることを特徴とする請求項１に記載の携帯用コンピュータ。
【請求項３】
前記モニタと，前記ティルティングリンクとを結合するモニタブラケットをさらに含み，
前記モニタブラケットの一端は，前記モニタと結合され，前記モニタブラケットの他端は，前記ティルティングリンクの一端に対して回動可能に結合されることを特徴とする請求項２に記載の携帯用コンピュータ。
【請求項４】
前記コンピュータ本体と，前記ピボッティングリンクとを結合する本体ブラケットをさらに含み，
前記本体ブラケットの一端は，前記コンピュータ本体と結合され，前記本体ブラケットの他端は，前記ピボッティングリンクの他端に対して蝶番式に旋回可能な状態で結合されることを特徴とする請求項３に記載の携帯用コンピュータ。
【請求項５】
前記モニタブラケットと前記ティルティングリンクとの間に設けられて，前記モニタが前記コンピュータ本体に対して回動可能な状態で支持するスイベリングヒンジ軸をさらに含むことを特徴とする請求項４に記載の携帯用コンピュータ。
【請求項６】
前記ティルティングリンクと前記ピボッティングリンクとの間に設けられて，前記モニタが前記コンピュータ本体に対して傾斜可能な状態で支持するティルティングヒンジ軸をさらに含むことを特徴とする請求項５に記載の携帯用コンピュータ。
【請求項７】
前記ピボッティングリンクと前記本体ブラケットとの間に設けられて，前記モニタが前記コンピュータ本体に対して蝶番式に旋回可能な状態で支持するピボッティングヒンジ軸をさらに含むことを特徴とする請求項６に記載の携帯用コンピュータ。
【請求項８】
前記コンピュータ本体と前記モニタとを連結するケーブルをさらに含み，
前記ケーブルは，前記本体ブラケット，前記ピボッティングリンク，前記ティルティングリンク及び前記モニタブラケットの内部に受容されることを特徴とする請求項７に記載の携帯用コンピュータ。
【発明の詳細な説明】
【０００１】
【発明の属する技術分野】
本発明は，携帯用コンピュータに係り，より詳細には，コンピュータ本体とコンピュータ本体に支持されるモニタとを有する携帯用コンピュータに関する。
【０００２】
【従来の技術】
一般に携帯用コンピュータは，ＬＣＤパネルのような薄板の表示装置が装着されたモニタと，モニタを支持し，多様なハードウェアが装着されたコンピュータ本体と，を含む。また，携帯用コンピュータは，ラップトップコンピュータ（Ｌａｐｔｏｐ　Ｃｏｍｐｕｔｅｒ）及びノートブックコンピュータ（Ｎｏｔｅｂｏｏｋ　Ｃｏｍｐｕｔｅｒ）などのように携帯できるコンピュータを含む。
【０００３】
従来の携帯用コンピュータは，図１に示すように，キーボード１１２のような入力装置が備わったコンピュータ本体１１０と，コンピュータ本体１１０に対してティルティング，即ち，前後方に傾斜可能に設けられ，画像を出力するモニタ１２０と，を含む。
【０００４】
【発明が解決しようとする課題】
ところが，従来の携帯用コンピュータは，基本的に，ユーザが携帯用コンピュータを使用するように，コンピュータ本体１１０に対してモニタ１２０をＡ方向に傾斜できる機能だけを有している。このように従来の携帯用コンピュータは，例えば，図１の立てられたモニタ１２０の反対側からモニタ１２０を見られるようにするといった，多様な角度でモニタ１２０を凝視できるように，コンピュータ本体１１０に対してモニタ１２０を回動（スイベリング）及び蝶番式に旋回（ピボッティング）できる機能がないので，使用に不便があるという問題がある。
【０００５】
本発明の目的は，前述した問題点を解決するため，モニタがコンピュータ本体に対して，単なる傾斜（ティルティング）だけでなく，回動（スイベリング）及び蝶番式に旋回（ピボッティング）できる携帯用コンピュータを提供することである。
【０００６】
【課題を解決するための手段】
上記課題を解決するため，本発明の主たる観点によれば，コンピュータ本体と，コンピュータ本体に支持されるモニタと，を有する携帯用コンピュータにおいて，一端は，前記モニタが前記コンピュータ本体に対して傾斜及び回動可能な状態で前記モニタに結合され，他端は，前記モニタが前記コンピュータ本体に対して蝶番式に旋回可能な状態で前記コンピュータ本体に結合される，ピボッティングリンクを含む携帯用コンピュータが提供される。
【０００７】
ここで，一端は，前記モニタが前記コンピュータ本体に対して回動可能な状態で前記モニタに結合され，他端は，前記モニタが前記コンピュータ本体に対して傾斜可能な状態で前記ピボッティングリンクの一端に結合されるティルティングリンクをさらに含むことが好ましい。
【０００８】
一端は，前記モニタと結合され，他端が前記ティルティングリンクの一端に対して回動可能に結合されるモニタブラケットをさらに含むことが好ましい。
【０００９】
一端は，前記コンピュータ本体と結合され，他端は，前記ピボッティングリンクの他端に対して蝶番式に旋回可能な状態で結合される本体ブラケットをさらに含むことが好ましい。
【００１０】
前記モニタブラケットと前記ティルティングリンクとのあいだに設けられて，前記モニタが前記コンピュータ本体に対して回動可能な状態で支持するスイベリングヒンジ軸をさらに含むことが好ましい。
【００１１】
前記ティルティングリンクと前記ピボッティングリンクとのあいだに設けられて，前記モニタが前記コンピュータ本体に対して傾斜可能な状態で支持するティルティングヒンジ軸をさらに含むことが好ましい。
【００１２】
前記ピボッティングリンクと前記本体ブラケットとのあいだに設けられて，前記モニタが前記コンピュータ本体に対して蝶番式に旋回可能な状態で支持するピボッティングヒンジ軸をさらに含むことが好ましい。
【００１３】
前記コンピュータ本体と前記モニタとを連結するケーブルをさらに含み，前記ケーブルは，前記本体ブラケット，前記ピボッティングリンク，前記ティルティングリンク及び前記モニタブラケットの内部に受容されることが好ましい。
【００１４】
上記構成によれば，コンピュータ本体に対しモニタを，さまざまな角度に位置させることが可能になる。
【００１５】
【発明の実施の形態】
以下，添付した図面を参照して，本発明に対して詳細に説明する。なお，本明細書及び図面において，実質的に同一の機能構成を有する構成要素については，同一の符号を付することにより重複説明を省略する。
【００１６】
図２，図３は，本発明の第１実施形態による携帯用コンピュータの斜視図及び分解斜視図である。図２，図３に示すように，本発明による携帯用コンピュータは，入力装置のような多様なハードウェアが装着されたコンピュータ本体１０と，コンピュータ本体１０に支持されて，画像を出力するモニタ２０と，一端がモニタ２０の背面に結合されるモニタブラケット２１と，一端がモニタブラケット２１の他端に回動可能に結合されて，モニタ２０がコンピュータ本体１０に対して回動（スイベリング：Ｓｗｉｖｅｌｉｎｇ）可能に支持するティルティングリンク３０と，一端がティルティングリンク３０の他端に回動可能に結合されて，モニタ２０がコンピュータ本体１０に対して傾斜（ティルティング：Ｔｉｌｔｉｎｇ）可能に支持するピボッティングリンク４０と，一端がコンピュータ本体１０に結合され，他端がピボッティングリンク４０の他端に回動可能に結合されて，モニタ２０がコンピュータ本体１０に対して蝶番式に旋回（ピボッティング：Ｐｉｖｏｔｉｎｇ）可能に支持される本体ブラケット１１と，を含む。
【００１７】
モニタブラケット２１は，一端がモニタ２０と結合されて一体に回動し，他端がティルティングリンク３０の一端及び後述するスイベリングヒンジ軸５０により回動可能に結合される。これにより，モニタ２０がコンピュータ本体１０に対してスイベリングすることができる。また，モニタブラケット２１の他端には，スイベリングヒンジ軸５０の一端５０ａに対応して陥没形成されたスイベリング軸結合部２３が設けられている。
【００１８】
ティルティングリンク３０は，例えば’Ｌ’字形状であり，一端が前述のようにモニタブラケット２１の他端及びスイベリングヒンジ軸５０により回動可能に結合される。また，ティルティングリンク３０の他端は，ピボッティングリンク４０の一端及び後術するティルティングヒンジ軸６０により回動可能に結合される。これにより，モニタ２０がコンピュータ本体１０に対してティルティングすることができる。
【００１９】
また，ティルティングリンク３０の一端には，スイベリングヒンジ軸５０の他端５０ｂに対応して陥没形成されたスイベリング軸受容部３１が設けられ，ティルティングリンク３０の他端にはティルティングヒンジ軸６０の一端６０ａに対応して陥没形成されたティルティング軸結合部３３が設けられる。
【００２０】
ピボッティングリンク４０は，例えば長いバー状であり，一端が，前述のようにティルティングリンク３０の他端及び後述するティルティングヒンジ軸６０により，回動可能に結合される。また，ピボッティングリンク４０の他端は，本体ブラケット１１の他端及び後述するピボッティングヒンジ軸７０により回動可能に結合される。これにより，モニタ２０がコンピュータ本体１０に対してピボッティングすることができる。
【００２１】
また，ピボッティングリンク４０の一端には，ティルティングヒンジ軸６０の他端６０ｂに対応して陥没形成されたティルティング軸受容部４１が設けられ，ピボッティングリンク４０の他端には，ピボッティングヒンジ軸７０の他端７０ｂに対応して陥没形成されたピボッティング軸受容部４３が設けられる。
【００２２】
本体ブラケット１１は，一端がコンピュータ本体１０と結合され，他端がピボッティングリンク４０の他端とピボッティングヒンジ軸７０により回動可能に結合される。これにより，モニタ２０がコンピュータ本体１０に対してピボッティングすることができる。また，本体ブラケット１１の他端には，ピボッティングヒンジ軸７０の一端７０ａに対応して陥没形成されたピボッティング軸結合部１３が設けられる。
【００２３】
スイベリングヒンジ軸５０は，一側５０ａがスプライン形状からなって，モニタブラケット２１の他端に形成されたスイベリング軸結合部２３に整合されて結合する。これにより，スイベリングヒンジ軸５０及びモニタブラケット２１が一体に回動する。また，スイベリングヒンジ軸５０の他側５０ｂは，断面が円形からなって，ティルティングリンク３０の一端に形成されたスイベリング受容部３１に回動可能に結合される。
【００２４】
また，このようなスイベリングヒンジ軸５０の他側５０ｂとスイベリング受容部３１とのあいだには所定の摩擦力を有しており，回動可能に結合される。これにより，ユーザがモニタ２０をコンピュータ本体１０に対してスイベリングさせようとする場合，モニタ２０に所定の力を加圧して，スイベリングヒンジ軸５０の他側５０ｂとスイベリング受容部３１とのあいだで発生する所定の摩擦力を克服しなければならない。
【００２５】
ティルティングヒンジ軸６０は，前述のスイベリングヒンジ軸５０の形状の如く，一側６０ａがスプライン形状からなって，ティルティングリンク３０の他端に形成されたティルティング軸結合部３３に整合されて結合する。これにより，ティルティングヒンジ軸６０とティルティングリンク３０とは，一体に回動する。
【００２６】
また，ティルティングヒンジ軸６０の他側６０ｂは，断面が円形からなって，ピボッティングリンク４０の一端に形成されたティルティング軸受容部４１に回動可能に結合される。また，このようなティルティングヒンジ軸６０の他側６０ｂとティルティング軸受容部４１とのあいだには所定の摩擦力を有して，回動可能に結合される。これにより，ユーザがモニタ２０をコンピュータ本体１０に対してティルティングさせようとする場合，モニタ２０に所定の力を加圧して，ティルティングヒンジ軸５０の他側６０ｂとティルティング軸受容部４１とのあいだで発生する所定の摩擦力を克服しなければならない。
【００２７】
ピボッティングヒンジ軸７０は，前述のスイベリングヒンジ軸５０の形状の如く，一側７０ａがスプライン形状からなって，本体ブラケット１１の他端に形成されたピボッティング軸結合部１３に整合されて結合する。これにより，ピボッティングヒンジ軸７０と本体ブラケット１１とは，相互回動が阻止されるように一体に結合される。
【００２８】
また，ピボッティングヒンジ軸７０の他側７０ｂは，断面が円形からなって，ピボッティングリンク４０の他端に形成されたピボッティング軸受容部４３に回動可能に結合される。また，このようなピボッティングヒンジ軸７０の他側７０ｂとピボッティング軸受容部４３とのあいだには所定の摩擦力を有して，回動可能に結合される。これにより，ユーザがモニタ２０をコンピュータ本体１０に対してピボッティングさせようとする場合，モニタ２０に所定の力を加圧して，ピボッティングヒンジ軸７０の他側７０ｂとピボッティング軸受容部４３とのあいだで発生する所定の摩擦力を克服しなければならない。
【００２９】
本発明の第１実施形態による携帯用コンピュータは，コンピュータ本体１０とモニタ２０とを連結するケーブル８０をさらに含む。ケーブル８０は，コンピュータ本体１０から電源や画像信号などをモニタ２０に伝達する。また，ケーブル８０は，本体ブラケット１１，ピボッティングリンク４０，ティルティングリンク３０及びモニタブラケット２１の内部に受容される。したがって，本体ブラケット１１，ピボッティングリンク４０，ティルティングリンク３０及びモニタブラケット２１は，中空形状からなり，各構成要素を回動可能に支持するピボッティングヒンジ軸７０，ティルティングヒンジ軸６０及びスイベリングヒンジ軸５０も，中空形状からなる。
【００３０】
上記のような構成により，本発明の第１実施形態による携帯用コンピュータの作動過程は次の通りである。
まず，モニタ２０がコンピュータ本体１０に対してティルティングする過程とは，図４に示すように，モニタ２０がティルティングヒンジ軸６０を軸として，矢印Ｂのように，コンピュータ本体１０に対しての仰角を変化させるように前後方向に傾斜させることである。この動作をティルティングという。
【００３１】
また，モニタ２０がコンピュータ本体１０に対してスイベリングする過程とは，図５に示すように，モニタ２０がコンピュータ本体１０に対してティルティングをした後，モニタ２０がスイベリングヒンジ軸５０を軸として，矢印Ｃのようにコンピュータ本体１０に対して回動することである。この動作をスイベリングという。
【００３２】
また，モニタ２０がコンピュータ本体１０に対してピボッティングする過程は，図６に示すように，モニタ２０がコンピュータ本体１０に対してティルティングした後，モニタ２０がピボッティングヒンジ軸７０を軸として，矢印Ｄのようにコンピュータ本体１０対して蝶番式に旋回することである。この動作をピボッティングという。
【００３３】
また，モニタ２０のコンピュータ本体１０に対するスイベリング及びピボッティングはモニタ２０がコンピュータ本体１０に対してティルティングした後，同時に行うことができる。
【００３４】
これにより，本発明の第１実施形態による携帯用コンピュータのモニタ２０は，コンピュータ本体１０に対してティルティングだけでなく，スイベリング及びピボッティングをすることができ，ユーザが携帯用コンピュータ本体を移動せずにも，ほとんどすべての角度からモニタ２０を凝視することができる。
【００３５】
図７は本発明の第２実施形態による携帯用コンピュータの斜視図である。この図面に示すように，第２実施形態による携帯用コンピュータは，第１実施形態とは異なり，ピボッティングリンク４０ａの一領域に補助ティルティングヒンジ軸６１をさらに設けている。
【００３６】
補助ティルティングヒンジ軸６１は，ティルティングヒンジ軸６０と同様な形状からなる。即ち，一側がスプライン形状からなって，本体ブラケット１１側に位置するピボッティングリンク４０ａの一端に結合する。これにより，補助ティルティングヒンジ軸６１とピボッティングリンク４０ａとは，一体に回動する。
【００３７】
また，補助ティルティングヒンジ軸６１の他側は，断面が円形からなり，ティルティングリンク３０側に位置するピボッティングリンク４０ａの一端に回動可能に結合される。これにより，モニタ２０は補助ティルティングヒンジ軸６１を軸としてコンピュータ本体１０に対して仰角を変化させるように前後方向に傾斜させるティルティングが可能である。
【００３８】
このような構成により，本発明の第２実施形態による携帯用コンピュータも本発明の目的を達成することができるだけではなく，補助ティルティングヒンジ軸６１がさらに設けられて，モニタ２０がコンピュータ本体１０に対してさらに円滑にティルティングすることができる。
【００３９】
以上説明したように，第１及び第２の実施の形態にかかる携帯用コンピュータにおいては，一端が，モニタがコンピュータ本体に対してスイベリングできるようにモニタに対して結合され，他端が，モニタがコンピュータに対してティルティングできるようにコンピュータ本体に対して結合されるティルティングリンクと，一端がモニタがコンピュータ本体に対してティルティングできるようにティルティングリンクの他端と結合され，他端がモニタがコンピュータ本体に対してピボッティングできるようにコンピュータ本体に対して結合されるピボッティングリンクとを設けることにより，モニタがコンピュータ本体に対してティルティングだけでなくスイベリング及びピボッティングすることができる。これにより，ユーザが携帯用コンピュータ自体を移動させずにも，ほとんどすべての角度からモニタを凝視することができる。
【００４０】
以上，本発明に係る好適な実施の形態について説明したが，本発明はかかる構成に限定されない。当業者であれば，特許請求の範囲に記載された技術思想の範囲内において，各種の修正例および変更例を想定し得るものであり，それらの修正例および変更例についても本発明の技術範囲に包含されるものと了解される。
【００４１】
例えば，前述の実施形態では，ピボッティングヒンジ軸７０，ティルティングヒンジ軸６０及びスイベリングヒンジ軸５０の一端７０ａ，６０ａ，５０ａが，それぞれピボッティング軸結合部１３，ティルティング軸結合部３３及びスイベリング軸結合部２３に整合して結合されているが，このような結合は，モニタ２０が回動時に分解されないように，係止装置或いはスクリューなどにて結合することもできる。
【００４２】
また，前述の実施形態では，ピボッティングヒンジ軸７０，ティルティングヒンジ軸６０及びスイベリングヒンジ軸５０の他端７０ｂ，６０ｂ，５０ｂがそれぞれピボッティング軸受容部４３，ティルティング軸受容部４１及びスイベリング軸受容部３１に回動できるように結合されているが，このような結合は，回動は可能であるが，回動時に分解されないように係止装置或いはスクリューなどにて補強することもできる。
【００４３】
【発明の効果】
以上詳細に説明したように，本発明によれば，モニタがコンピュータ本体に対してティルティングだけでなくスイベリング及びピボッティングすることができ，ユーザが携帯用コンピュータ自体を移動させずにも，ほとんどすべての角度からモニタを凝視することができる。
【図面の簡単な説明】
【図１】従来の携帯用コンピュータの斜視図である。
【図２】本発明の第１実施形態による携帯用コンピュータの背面斜視図である。
【図３】図２の携帯用コンピュータの分解斜視図である。
【図４】図２の携帯用コンピュータのモニタがティルティングされた背面図である。
【図５】図２の携帯用コンピュータのモニタがスイベリングされた背面図である。
【図６】図２の携帯用コンピュータのモニタがピボッティングされた背面図である。
【図７】本発明の第２実施形態による携帯用コンピュータの背面斜視図である。
【符号の説明】
１０　　コンピュータ本体
１１　　本体ブラケット
１３　　ピボッティング軸結合部
２３　　スイベリング軸結合部
３０　　ティルティングリンク
３１　　スイベリング軸受容部
３３　　ティルティング軸結合部
４０　　ピボッティングリンク
４１　　ティルティング軸受容部
４３　　ピボッティング軸受容部
５０　　スイベリングヒンジ軸
６０　　ティルティングヒンジ軸
７０　　ピボッティングヒンジ軸
【図１】
2004127254.tif 000003
【図２】
2004127254.tif 000004
【図３】
2004127254.tif 000005
【図４】
2004127254.tif 000006
【図５】
2004127254.tif 000007
【図６】
2004127254.tif 000008
【図７】
2004127254.tif 000009